(57)【要約】【課題】入浴における高齢者への介助の負担を軽減する【解決手段】浴槽内７における人の有無を検出する入出浴センサ４８と、浴室６以外の箇所に設置された浴室外表示手段１０１と、入出浴センサの検出結果に基づいて、人の入浴と出浴を判定する入出浴判定手段と、入出浴判定手段が、人が入浴後の出浴を判定した場合、カウントを開始するタイマと、このタイマのカウントによる出浴後の経過時間を、浴室外表示手段に表示する入出浴表示制御手段１０７と、を備えることで、介助の負担を軽減する【選択図】図４
2020101317.tif 000002
【特許請求の範囲】
【請求項１】
浴槽内における人の有無を検出する入出浴センサと、
前記浴室以外の箇所に設置された浴室外表示手段と、
前記入出浴センサの検出結果に基づいて、人の入浴と出浴を判定する入出浴判定手段と、
前記入出浴判定手段が前記人が入浴後の出浴を判定した場合、カウントを開始するタイマと、
前記タイマのカウントによる出浴後の経過時間を、前記浴室外表示手段に表示する入出浴表示制御手段と、を備えたことを特徴とする風呂給湯装置。
【請求項２】
前記入出浴表示制御手段は、前記出浴の第１所定時間経過後に前記浴室外表示手段に出浴後の経過時間の表示を開始し、前記出浴の第２所定時間経過後に出浴後の経過時間の表示を終了することを特徴とする請求項１に記載の風呂給湯装置。
【請求項３】
前記浴室外表示手段が操作されたことに応じて、前記前記浴室外表示手段に出浴後の経過時間を表示することを特徴とする請求項１に記載の風呂給湯装置。
【発明の詳細な説明】
【技術分野】
【０００１】
本発明は、風呂給湯装置に係り、特に浴室内の人の状況を把握し報知する風呂給湯装置に関する。
【背景技術】
【０００２】
従来、浴室内における人の有無を検出する焦電センサと、浴槽内における人の有無を検出する水位センサと、浴室以外の箇所に設置された台所リモコンと、を備え、水位センサの検出結果に基づいて、人が入浴したか否かを判定すると共に、焦電センサが人がいることを検出することで、浴室内の人の状況を把握、報知し、高齢者の入浴事故を防止するものだった。（例えば、特許文献１）
【先行技術文献】
【特許文献】
【０００３】
【特許文献１】特開２０１８−７１８５９号公報
【発明の概要】
【発明が解決しようとする課題】
【０００４】
今日、入浴者、特に高齢者や身体障害者などは増加する傾向にあり、障害の程度も個人差が有る。例えば、障害が重くて寝たきりの人は介護施設等において、障害者専用の入浴設備で介護職員に体を洗ってもらう。また、障害が軽い人（片腕のみが使用できない等）は、一人で入浴できるが衣服の着脱のみができないために、家族が衣服の着脱を介助することになる。介助を担当する家族は入浴者が出浴するまで浴室に何回も足を運んで確認する必要が有った。
【課題を解決するための手段】
【０００５】
上記課題を解決するために、本発明では、浴槽内における人の有無を検出する入出浴センサと、
前記浴室以外の箇所に設置された浴室外表示手段と、
前記入出浴センサの検出結果に基づいて、人の入浴と出浴を判定する入出浴判定手段と、
前記入出浴判定手段が前記人が入浴後の出浴を判定した場合、カウントを開始するタイマと、
前記タイマのカウントによる出浴後の経過時間を、前記浴室外表示手段に表示する入出浴表示制御手段と、を備えるものである。
【発明の効果】
【０００６】
本発明では、介助者が台所リモコンで出浴後の時間を確認することができるので、介助者が何回も浴室へ行く必要が無くなるものである。
また、入浴者の希望に応じたタイミングで介助者が浴室を訪れることができる。
また、出浴後の第２所定時間で自動的に表示をやめてタイマをクリアすることができる。
また、無駄な表示を防止し待機時の消費電力を低下することができる。
【図面の簡単な説明】
【０００７】
【図１】本実施形態における風呂給湯装置の概略的なシステム構成図。
【図２】同制御構成図。
【図３】同フローチャート図。
【図４】同動作を説明するタイムチャート図。
【発明を実施するための形態】
【０００８】
本発明に係る給湯装置の一実施形態を添付図面に基づいて説明する。
【０００９】
図１は、本実施形態における貯湯式風呂給湯装置１の概略的なシステム構成図である。
図２は、貯湯式風呂給湯装置１の制御構成図である。
【００１０】
貯湯タンクユニット３は、湯水を貯湯する貯湯タンク１１を有している。貯湯タンク１１は、貯湯タンク１１内の貯湯温度を検出する複数の貯湯温度センサ１２を側面の上下方向にわたって有している。貯湯タンク１１底部には、貯湯タンク１１に市水を供給する給水管１３が接続される。給水管１３は、市水の給水圧を一定の圧力に減圧する減圧弁１４を有している。また、貯湯タンク１１頂部には、貯湯タンク１１内の過圧を逃す過圧逃し弁１６が接続されている。
【００１１】
貯湯タンク１１頂部には、貯湯タンク１１から出湯する出湯管１８が接続されている。出湯管１８は、給水管１３から分岐された給水バイパス管２０と給湯混合弁１９を介して接続されている。給水バイパス管２０は、給水温度を検出する給水温度センサ２５を有している。
【００１２】
給湯混合弁１９は、給水バイパス管２０からの湯水と出湯管１８からの湯水とを給湯設定温度になるよう混合する。給湯混合弁１９は、給湯管２４と接続されており、給湯混合弁１９で混合された湯水は給湯管２４によりシャワー８およびカラン９へ導かれる。給湯管２４は、給湯流量センサ２６と、給湯温度センサ２７と、流量調整弁２８とを有している。給湯流量センサ２６および給湯温度センサ２７は、給湯管２４を流れる湯水の流量および温度をそれぞれ検出する。流量調整弁２８は、開度を調整することにより給湯管２４を流れる湯水の流量を調整（制限）する。
【００１３】
給湯管２４は、湯水を風呂循環回路４０へ供給する湯はり管３２と接続されている。湯はり管３２は、湯はり流量センサ３３と、湯はり温度センサ３４と、湯はり開閉弁３５とを有している。湯はり流量センサ３３および湯はり温度センサ３４は、湯はり管３２から供給される湯水の流量および温度をそれぞれ検出する。湯はり開閉弁３５は、湯はり管３２を開閉する電磁弁である。
【００１４】
貯湯タンクユニット３は、浴槽７の湯水（浴水）を浴槽７と風呂熱交換器４１との間で循環させる風呂循環回路４０を有している。風呂循環回路４０は、戻り管４２と、風呂熱交換器４１と、往き管４３とを主に有している。戻り管４２は、浴水を風呂熱交換器４１へ戻す。風呂熱交換器４１は、貯湯タンク１１内上部に設けられ、貯湯タンク１１内の湯の熱で浴水を加熱する。往き管４３は、風呂熱交換器４１で加熱された湯水を浴槽７側へ供給する。
【００１５】
風呂循環回路４０は、風呂三方弁４５を介して戻り管４２と往き管４３とをバイパスする熱交バイパス管４６を有している。風呂三方弁４５は、戻り管４２からの湯水を風呂熱交換器４１に流通させるか、往き管４３にバイパスさせるかを切り替える。
【００１６】
また、戻り管４２は、水位センサ４８と、風呂温度センサ４９と、風呂循環ポンプ５０とを有している。水位センサ４８は、浴槽７からの圧力を検出することにより浴槽７内の水位を検出する。水位センサ４８は、浴槽７内における人の有無を検出する入出浴センサとして設けられる。風呂温度センサ４９は、循環する湯水の温度を検出する。風呂循環ポンプ５０は、風呂循環回路４０に浴水を循環させる。往き管４３は、風呂循環回路４０の浴水の循環の有無を検出する流水スイッチ５１を有している。
【００１７】
貯湯タンクユニット３は、貯湯タンクユニット３を電気的に制御する貯湯制御部５５を有している。貯湯制御部５５は、ＭＰＵなどの論理回路を有し、メモリを参照しつつ予め記憶されているプログラムに従って貯湯タンクユニット３を電気的に制御する。すなわち、貯湯制御部５５は、貯湯温度センサ１２、給水温度センサ２５、給湯流量センサ２６、給湯温度センサ２７、湯はり流量センサ３３、湯はり温度センサ３４、水位センサ４８、風呂温度センサ４９、および流水スイッチ５１の検出値を取得し、この検出値に基づいて貯湯タンクユニット３の各種弁などの作動を制御する。また、貯湯制御部５５は、風呂リモコン５および台所リモコン１０を介してユーザの指示を受け付け、各部を制御し指示を実行する。すなわち、貯湯制御部５５は、風呂リモコン５および台所リモコン１０で指示された給湯設定温度や、風呂設定温度、設定湯量などに基づいて給湯運転、風呂自動運転、風呂追だき運転などを実行する。貯湯制御部５５は、後述する入出浴報知処理（図３）において出浴後の時間などをカウントするタイマを有する。
【００１８】
貯湯タンクユニット３は、加熱往き管６５および加熱戻り管６６を介して、貯湯タンク１１内の湯水を主に深夜時間帯に沸き上げるヒートポンプユニット４と接続される。ヒートポンプユニット４は、これら加熱往き管６５および加熱戻り管６６と、冷媒回路６１と、加熱制御部６２と、外気温度センサ６３とを有している。
【００１９】
加熱往き管６５は、貯湯タンク１１底部から取り出した湯水を流通させる。加熱往き管６５は、貯湯タンク１１からの湯水を供給する加熱循環ポンプ６４と、加熱往き管６５から冷媒水熱交換器６８に流入する湯水の温度を検出する入水温度センサ６９とを有している。加熱戻り管６６は、ヒートポンプユニット４で加熱された湯水を貯湯タンク１１上部へ戻す。加熱戻り管６６は、冷媒水熱交換器６８から加熱戻り管６６へ流出する湯水の温度を検出する沸き上げ温度センサ７０を有している。
【００２０】
冷媒回路６１は、圧縮機７１、冷媒水熱交換器６８、膨張弁７２、および蒸発器７３が冷媒サイクル配管７４で環状に接続された回路である。圧縮機７１は、冷媒を圧縮し高温冷媒とする。冷媒水熱交換器６８は、高温冷媒と貯湯タンク１１からの湯水とを熱交換する。膨張弁７２は、冷媒水熱交換器６８で放熱された冷媒を減圧し、低温低圧の冷媒とする。蒸発器７３は、低温低圧の冷媒を蒸発させる。また、蒸発器７３には、送風機７５により熱源となる外気が送風される。
【００２１】
外気温度センサ６３は、ヒートポンプユニット４が設置されている屋外の外気温度を検出する。加熱制御部６２は、ＭＰＵなどの論理回路を有し、メモリを参照しつつ予め記憶されているプログラムに従ってヒートポンプユニット４を電気的に制御する。すなわち、加熱制御部６２は、入水温度センサ６９、沸き上げ温度センサ７０、および外気温度センサ６３の検出値を取得し、冷媒回路６１などの作動を制御する。
【００２２】
浴室６には、浴槽７、シャワー８および風呂リモコン５が設けられている。風呂リモコン５は、浴室に設置された浴室報知手段として設けられる。風呂リモコン５は、表示部９１と、スピーカ９２と、スイッチ類９３と、通話部９４とを有している。表示部９１は、給湯装置１に関する各種の情報（給湯設定温度、風呂設定温度、風呂設定湯量、残湯量、給湯装置１の作動状態など）を表示する。スイッチ類９３は、風呂自動運転スイッチ、設定スイッチ、メニュースイッチなどを有する。設定スイッチは、給湯設定温度、風呂設定温度および風呂設定湯量を設定する指示を受け付ける。風呂自動運転スイッチは、風呂自動運転を開始または停止する指示を受け付ける。風呂自動運転は、風呂設定温度および湯量に基づいて浴槽７内の湯を設定水位および温度になるよう自動で湯はり運転し、湯はり完了後は設定水位および温度を維持するよう保温時間が経過するまで自動で保温運転する。メニュースイッチは、給湯装置１の詳細な設定を行う階層構造のメニュー設定画面を呼び出す。通話部９４（インターホン）は、台所リモコン１０と通信し、浴室６内の人と台所内の人との間で通話を行わせる。
【００２３】
風呂リモコン５は、ＭＰＵなどの論理回路を有し、メモリを参照しつつ予め記憶されているプログラムに従って風呂リモコン５を電気的に制御する風呂リモコン制御部９７を有している。風呂リモコン制御部９７は、スイッチ類９３の指示信号や貯湯制御部５５からの信号を受け、表示部９１に予め定められた必要な情報を表示させる。
【００２４】
シャワー８およびカラン９は、浴室６内や、浴室６外の台所や洗面所などに設けられる。給湯管２４は、流量調整弁２８の下流側で分岐しており、浴室６に設けられたシャワー８と各所のカラン９へ並列に給湯している。
【００２５】
台所リモコン１０は、浴室以外の箇所に設置された浴室外報知手段（浴室外表示手段）として設けられ、台所に設置されたリモコンである。台所リモコン１０は、風呂リモコン５とほぼ同様の機能を有する表示部１０１と、スピーカ１０２と、スイッチ類１０３と、通話部１０４と、表示選択部１０５を有している。台所リモコン１０は、ＭＰＵなどの論理回路を有し、メモリを参照しつつ予め記憶されているプログラムに従って台所リモコン１０を電気的に制御する台所リモコン制御部１０７（入出浴表示制御手段）を有している。台所リモコン制御部１０７は、スイッチ類１０３の指示信号や貯湯制御部５５からの信号を受け、表示部１０１に予め定められた必要な情報を表示させる。表示選択部１０５はスイッチ類１０３の操作に応じて入浴、出浴、出浴後の時間等の表示を選択する。上述した貯湯制御部５５、加熱制御部６２、風呂リモコン制御部９７および台所リモコン制御部１０７は、互いに必要な情報を送受信可能に接続されている。
【００２６】
本実施形態における給湯装置１は、浴室６内の人の状況を把握し、同居者などの浴室６外の人にその旨を報知することができる。すなわち、人の浴槽７への入出浴を好適に検出し、その旨を台所リモコン１０を介して浴室６外の人に報知することができる。以下、浴槽７への入出浴と、それに伴う表示を、入出浴報知処理として具体的に説明する。
【００２７】
図３は、本実施形態における給湯装置１により実行される入出浴報知処理を説明するフローチャートである。
図４は、図３の処理において報知時間到達を報知する場合の浴室６内の人と、水位センサ４８と、タイマと、台所リモコン１０の表示との動作を説明するためのタイムチャートである。
【００２８】
ステップＳ１において、貯湯制御部５５は、水位センサ４８の検出結果に基づいて、浴槽７に人が入浴したか否かを判定する。例えば、貯湯制御部５５は、水位センサ４８の検出結果を所定周期で（例えば５００ｍｓ毎に）取得し、得られた所定時間分（例えば３秒分）の検出結果の移動平均値（以下単に「現在水位」という）を算出し記憶する。貯湯制御部５５は、新たに得られた現在水位を所定時間前（例えば３０秒前）の現在水位（以下単に「比較水位」という）と比較する。貯湯制御部５５は、現在水位≧比較水位＋所定値（例えば３ｃｍ）が成立した場合に、浴槽７に人が入浴したと判定する。なお、所定値は人の体積により増加する水位を考慮して決定される。貯湯制御部５５は入浴していないと判定した場合、入浴を検出するまで待機する。（ステップＳ１のＮｏ）
【００２９】
貯湯制御部５５は入浴検出ステップＳ１において入浴したと判定した場合、ＹｅｓでステップＳ２において、貯湯制御部５５は入浴者が浴槽７に入浴した旨を台所リモコン１０を介して浴室６外の人に報知するために、台所リモコン１０の表示部１０１に「入浴中」と表示し、ステップＳ３に進む。ステップＳ３では、貯湯制御部５５は、水位センサ４８の検出結果に基づいて浴槽７から人が出浴したか否かを判定する。例えば、貯湯制御部５５は、現在水位≦比較水位−所定値が成立する場合に、浴槽７から人が出浴したと判定する。貯湯制御部５５は出浴していないと判定した場合、出浴を検出するまで待機する。（ステップＳ３のＮｏ）
【００３０】
ステップＳ３において出浴が検出した場合には、ステップＳ４にてタイマカウントを開始すると共に、台所リモコン１０の表示部１０１に「出浴」と表示することで、浴槽７から人が出浴したことを台所に居る家族に知らせ、ステップＳ５に進む。ステップＳ５では入浴者が洗い場で体を洗ったり、休憩の後に再入浴するかを判定する。再入浴が検出された場合はＹｅｓでステップＳ２に戻り、再入浴がない場合はＮｏでステップＳ６に進む。
【００３１】
ステップＳ６ではタイマの経過時間が第１所定時間の１０分に到達したかを判定する。ステップＳ６において１０分経過した場合にはＹｅｓでステップS7に進んで台所リモコン１０の表示を「出浴後A分」あるいは「出浴後Ａ分が経過しました」（Aはタイマカウントの時間）と表示を変更し、ステップS８に進む。ステップＳ６においてタイマカウントが１０分に満たない場合にはＮｏで１０分を検出するまで待機する。
【００３２】
ステップS８では、ステップＳ５と同様に再入浴するかを判定する。再入浴が検出された場合はＹｅｓでステップＳ２に戻り、再入浴がない場合はＮｏでステップＳ９に進む。
【００３３】
ステップＳ９ではタイマの経過時間が第２所定時間の９０分に到達したかを判定する。ステップＳ９において９０分経過した場合にはＹｅｓでステップＳ１０に進んでタイマをクリアすると共に、台所リモコン１０の表示を終了（消灯）し、ステップ１１で処理を終了する。
【００３４】
ステップS７からS９の間において入浴者は浴室６から出て脱衣所で体をふいた後にパジャマ等を着て入浴を終了するが、片腕のみが使用できない等の比較的障害が軽い人で、一人で入浴できるが衣服の着脱のみができない場合は、家族が着衣を介助する必要が有る。介助する家族は毎日の入浴者の入浴習慣（８分浴槽７に入った後、洗い場で１０分体を洗い、再度１０分入浴してから出浴する等）を把握しているので、台所リモコン１０の表示を見て程よい時間に浴室７に行って介助を行うことができる。これによって、介助を担当する家族は入浴者が出浴するまで浴室に何回も足を運んで確認する必要が無くなるものである。
【００３５】
また、入浴者が入浴前に「今日はゆっくり長めに入浴したい。」等の毎日の習慣とは別の入浴パターンで入浴が行われた場合でも、介助者が台所リモコン１０で出浴後の時間を確認することで適切なタイミングで介助をすることができる。また、出浴後の第２所定時間（９０分）で自動的に表示をやめてタイマをクリアすることで、無駄な表示を防止し待機時の消費電力を低下することができる。また、表示選択部１０５による選択で入出浴に関係する表示のみを行わないようにすることができる。これによって、高齢者や身体障害者などの居ない家庭の使用者が不要な表示を行うことを防止できる。また、表示選択部１０５への設定は任意に変更可能であり、スイッチ類１０３の操作によって表示を行うようにしても良い。また、スイッチ類１０３の押圧時のみ表示を行うようにしてもよい。
【００３６】
以上のように本発明によれば、介助者が台所リモコン１０で出浴後の時間を確認することができるので、介助者が何回も浴室へ行く必要が無くなるものである。また、入浴者の希望に応じたタイミングで介助者が浴室を訪れることができる。また、出浴後の第２所定時間で自動的に表示をやめてタイマをクリアすることができる。また、無駄な表示を防止し待機時の消費電力を低下することができる。
【００３７】
また、本実施形態では第１所定時間を１０分、第２所定時間を９０分としたが使用者が任意に変更可能としても良い。また、入浴や出浴のタイミングで台所リモコン１０がアラームを発することで家族に入浴者の行動を知らせるようにしても良い。
【００３８】
また、本実施形態で用いたその他の構成は一例として提示したものであり、発明の範囲を限定することは意図しておらず、その他の様々な形態で実施されることが可能であり、発明の要旨を逸脱しない範囲において、種々の省略、置き換え、変更を行うことができる。これら実施形態やその変形は、発明の範囲や要旨に含まれると共に、特許請求の範囲に記載された発明とその均等の範囲に含まれる。
【符号の説明】
【００３９】
１    貯湯式風呂給湯装置（給湯装置）
３  貯湯タンクユニット
４  ヒートポンプユニット
５  風呂リモコン
６  浴室
７  浴槽
１０  台所リモコン
４８  水位センサ
５５  貯湯制御部
９１、１０１  表示部
９２、１０２  スピーカ
９３、１０３  スイッチ類
９４、１０４  通話部
９７  風呂リモコン制御部
１０５  表示選択部
１０７  台所リモコン制御部
【図１】
2020101317.tif 000003
【図２】
2020101317.tif 000004
【図３】
2020101317.tif 000005
【図４】
2020101317.tif 000006